(57)【要約】【課題】 ATCAカードのハンドル構造を提供する。【解決手段】ブレードサーバ片側はパネルで、該パネル内側の貫通孔に近い端には２本の腕が相対する挟持弾性アームのアース部を設置する。パネル側辺には回転可能なハンドルを設置し、ハンドルのサポートアーム片側にはブレードサーバ上に定位する軸部を設置し、かつ軸部内側にはブレードサーバ上の探知スイッチに接触可能な押上げ部を設置する。軸部末端にはケース側辺に嵌合される嵌設部を設置し、サポートアームの軸部から遠い反対側には挟持弾性アームに嵌合する係合体を設置する。ハンドルの係合体片側には接触定位部を突出設置し、ハンドルの係合体がパネルの挟持弾性アームに嵌合する時、接触定位部がパネル外表面に平行に接触することにより、係合体は該挟持弾性アーム内において安定的に挟持される。【選択図】図１
0003126104.tif 000002
【実用新案登録請求の範囲】
【請求項１】
ブレードサーバの片側にパネルを設置し、該パネル内側の貫通孔に近い端に２本の腕が相対する挟持弾性アームのアース部を設置し、前記パネル側辺に回転可能なハンドルを設置し、該ハンドルのサポートアーム片側に該ブレードサーバ上に定位する軸部を設置し、かつ該軸部内側に該ブレードサーバ上の探知スイッチに接触可能な押上げ部を設置し、該サポートアームの軸部から遠い反対側に該挟持弾性アームに嵌合する係合体を設置し、
前記ハンドルの係合体片側に接触定位部を突出設置し、該ハンドルの係合体が前記パネルの挟持弾性アームに嵌合するとき、該接触定位部が該パネル外表面に平行に接触することにより、前記係合体が該挟持弾性アーム内において安定的に挟持されることを特徴とするATCAカードのハンドル構造。
【請求項２】
前記ハンドルの接触定位部反対側の末端には、弾動可能な弾動部を延伸、設置することを特徴とする請求項１記載のATCAカードのハンドル構造。
【請求項３】
前記ハンドルの軸部末端には、前記ケース側辺に嵌合する嵌設部を設置することを特徴とする請求項１記載のATCAカードのハンドル構造。
【請求項４】
前記ハンドルの係合体は、頚部を有し、該頚部末端には頭端を形成し、しかも該頭端は該頚部より大きいことを特徴とする請求項１記載のATCAカードのハンドル構造。
【請求項５】
前記ハンドルの押上げ部片側には、直径が小さい接触面を設置し、しかも該接触面は前記パネルの内表面において接触し、これにより該ハンドルは前記軸部片側に接近し前記探知装置に衝突する恐れはないことを特徴とする請求項１記載のATCAカードのハンドル構造。
【考案の詳細な説明】
【技術分野】
【０００１】
本考案は、ATCA（Advanced Telecom Computting Architecture）カードのハンドル構造に係り、特にブレードサーバを本体のケース内に定位可能なハンドル構造であり、ブレードサーバ両側のハンドルはブレードサーバを本体のケース内において挟持し、操作が簡易で安全性が高く、しかも嵌合強度を効果的に増強可能で、本体の使用可能空間を拡大できるＡTCAカードのハンドル構造に関する。
【背景技術】
【０００２】
現在、企業の情報必要量と作成量は急激に増加しており、企業と企業、企業と顧客、或いは企業と他の情報提供者との間の大量の情報交換に対応するため、各企業はしばしば多額の運営コストを情報管理に投入する必要が生まれている。多くの企業は、数十台或いは数百台の比較的安価な小型サーバを設置しネットワーク流量のニーズに対応しているが、さらにコストパフォーマンスを向上させるため、ブレードサーバが開発された。
【０００３】
いわゆるブレードサーバとは、プロセッサ、メモリ、ハードディスクドライブなどのサーバシステムを単一のマザーボード上に統合したもので、構造を一枚一枚ケース内に挿入し固定するものであるため、ブレード或いはブレードサーバと呼ばれる。
【０００４】
ブレードサーバは、ケース内に数十枚或いはそれ以上の枚数のブレードを収容可能で、しかも１枚のブレードサーバは１台のサーバに相当し、サーバケース、ディスプレー、キーボード、パワーサプライなどのリソースを相互に共用し、大型データセンターの役割を果たすことができる。
【０００５】
さらに、サーバケース内には、内部データベースに関連情報を提供するスマートシステムを設置している。このスマートシステムは、ネットワーク化されたブレードサーバのリソース、特定のジョブ、或いはブレードサーバ上で執行されるアプリケーションプログラムを分離することができ、これによりサーバケース内のブレードサーバは極めて使用に対して弾力性を備える。ブレードサーバの特性は以下の通りである。
【０００６】
1. ケースがブレードサーバとパーツのホットスワッピングをサポートするため、拡充性と信頼性が高い。
【０００７】
2. 低消費エネルギーで共用の冷却装置を持つ。
【０００８】
3. シンプルな外形。
【０００９】
4. システムリソースと専用のアプリケーションプログラムとジョブを分離。
【００１０】
5. コストが低い。
【００１１】
これらの特性のため、ブレードサーバは業界で注目されているが、その高い信頼性と拡充性は各ブレードサーバそのものがバックアップ機能を備え、ケースがブレードサーバとシステムパーツのホットスワッピングをサポートする点にある。すなわち、もしある１枚のブレードサーバが作動不能となり、しかしサービスを中断できない状況下では、別のブレードサーバが代用することができる。また、処理能力を向上させたければ、より多くのブレードサーバを必要性が高い場所に挿入するだけで良い。
【００１２】
一方、ブレードサーバは、ホットスワッピングの機能を提供するが、そのホットスワッピング動作の一般的な方式は以下の通りである。すなわち、ブレードサーバを嵌設するケース内の設置空間において、該設置空間の両側に対応するガードレールを設置する。これにより、ブレードサーバは設置空間の開口位置から挿入され、該ガイドレールに沿って設置空間内にスライドし定位される。その後、該ブレードサーバのパネル両側をケース両側のネジ孔にネジで螺合し、ブレードサーバをケース中に固定する。さらにブレードサーバとケースの正常接続を確保するため、通常はブレードサーバのパネル側辺にはハンドルを設置する。
【００１３】
図８に示すように、従来構造はハンドルAをネジA２によりブレードサーバBのパネルB１側辺に定位する。該ブレードサーバBをケースC内に挿入するときには、前記ハンドルAを回し、該ハンドルA片側の係合ロック部A１を該ケースCの対応側辺C１に係合させる。これにより、前記係合ロック部A１の接触定位部A１１は前記パネルB１内側の探知スイッチB２に接触し、該ブレードサーバBが既に定位、接続されたことをシステムに告知する。しかしながら、前記ハンドルAが前記ブレードサーバB上において回転するとき、下のような欠点が存在する。
【００１４】
1. ハンドルAは係合ロック部A１１から遠い側に、パネルB１の対応する穿孔B１１内に嵌設可能な突起部A３を設置し、該突起部A３の湾曲部分と穿孔B１１の湾曲部分によってのみ相互に係合し、ハンドルAとパネルB１が平行係合状態を呈することができるいかなる構造もないため、ハンドルAの角度は偏り易く、揺れや緩みなどの状況が発生し、係合が不確実になるという欠点がある。
【００１５】
2. ハンドルAはより大きな面積を占める接触定位部A１１により回転を行うため、該接触定位部A１１端面は探知スイッチB２に接触し連接状態を呈する。よって、マザーボードB３は接触定位部A１１の回転ルートに近いため、いかなる電子パーツをも設置することもできない。すなわち、マザーボードB３上の利用可能な空間は減少し、経済的でなく空間を無駄にするという欠点が存在する。
【考案の開示】
【考案が解決しようとする課題】
【００１６】
本考案は上記構造の問題点を解決し、ブレードサーバにハンドルによる簡単なホットスワッピングと安定的な定位、機能の起動を提供し、ブレードサーバとケースとの正常な接続と作動を確保するATCAカードのハンドル構造を提供するものである。
【課題を解決するための手段】
【００１７】
上記課題を解決するため、本考案の一態様によるATCAカードのハンドル構造は、
ブレードサーバ片側にパネルを設置し、該パネル内側の貫通孔に近い端に２本の腕が相対する挟持弾性アームのアース部を設置し、前記パネル側辺に回転可能なハンドルを設置し、該ハンドルのサポートアーム片側に該ブレードサーバ上に定位する軸部を設置し、かつ該軸部内側に該ブレードサーバ上の探知スイッチに接触可能な押上げ部を設置し、該サポートアームの軸部から遠い反対側に該挟持弾性アームに嵌合する係合体を設置し、
前記ハンドルの係合体片側に接触定位部を突出設置し、該ハンドルの係合体が前記パネルの挟持弾性アームに嵌合するとき、該接触定位部が該パネル外表面に平行に接触することにより、前記係合体が該挟持弾性アーム内において安定的に挟持されることを特徴とする。
【考案の効果】
【００１８】
上記のように、本考案はハンドルの回転時に係合体が貫通孔内側アース部の挟持弾性アームに係合し、片側の接触定位部がパネル外表面に平行に接触するため、係合体は挟持弾性アーム内において効果的に係合され、安定的な固定と緊密な対応を達成することができる。さらに押上げ部の接触面の直径が小さいため、ハンドルの回転時に押上げ部の回転ルートは小さくなり、マザーボード上の空間を拡張可能で、経済効果が高い。また、ハンドルがスタートすると、接触面の反対端面はパネル内側表面に接触し、同時にハンドルの回転角度は９０度を超えないため、嵌設部片側が探知装置に接触することがなく、内部パーツの損壊を避けることができ、高い安全性を達成することができる。
【考案を実施するための最良の形態】
【００１９】
図１、２に示すように、本考案の一実施例はブレードサーバ１、ハンドル２により組成される。前記ブレードサーバ１上にはマザーボード(図示なし)を固定可能で、しかも該ブレードサーバ１片側にはパネル１１を設置している。該パネル１１両側には貫通孔１１１を設置し、前記パネル１１の該貫通孔１１１内側に近い位置にはアース部１２を設置する。該アース部１２は平坦なベース１２１を有し、該ベース１２１両側は湾曲した側面板１２２であり、該各側面板１２２末端は相対し内側へと湾曲し、挟持状の挟持弾性アーム１２３を呈する。
【００２０】
前記マザーボード１１上には、信号を感知可能な探知装置１３を設置している。前記ハンドル２は板体状で、該ハンドル２のサポートアーム２１片側は該ブレードサーバ１上に定位する軸部２２を設置する。かつ、該軸部２２内側には、前記ブレードサーバ１上の探知スイッチ１３に接触可能な押上げ部２３を設置している。該押上げ部２３は、直径がやや小さい接触面２３１を形成し、前記サポートアーム２１の前記軸部２２から離れた反対側において係合体２４を延伸、設置している。この係合体２４は、頚部２４１を有し、しかも該頚部２４１末端には頭端２４２を形成している。該頭端２４２は該頚部２４１より大きく、該係合体２４に隣接する側には接触定位部２５を突出設置している。しかも、前記接触定位部２５の反対側の末端には弾動部２６を延伸、設置し、前記軸部２２末端には嵌設部２７を設置している。
【００２１】
上記構造部品を組み立てる時には、前記ブレードサーバ１のパネル１１に接近する両側にハンドル２を設置し、該ハンドル２の軸部２２をブレードサーバ１両側位置に可動可能に設置する。こうしてハンドルの弾動部２６を弾動し、該ハンドル２は扇型にスイング可能となり、また該ハンドル２の軸部２２を軸芯とし、前記ブレードサーバ１のパネル１１両側位置において回転することができる。
【００２２】
次に、図３、４、５、６、７に示すように、本実施例のブレードサーバ１をコンピュータ本体３のケース３１内に挿入する時には、先ず前記パネル１１両側のハンドル２の弾動部２６を弾動し、これにより前記ハンドル２は前記軸部２２を軸芯とし回転する。しかも、前記ハンドル２の回転時には片側の嵌設部２７を利用し、ケース３１側辺の嵌合孔３１１に嵌合し、同時にハンドル２の押上げ部２３はブレードサーバ１上の探知装置１３に接触する。こうして前記ブレードサーバ１のケース３１内での安定的な固定と、同時に電気的連接を形成する。反対側の係合体２４は、前記パネル１１の貫通孔１１１に嵌入し、前記係合体２４の頭端２４２を利用し、アース部１２の挟持弾性アーム１２３上に接触させるが、これにより頭端２４２は挟持弾性アーム１２３の端面に沿って移動し定位される。続いて、前記挟持弾性アーム１２３の弾性復位作用により、係合体２４の頚部２４１を緊密に挟持し、これにより挟持弾性アーム１２３は両側挟持効果を形成する。片側の接触定位部２５はパネル１１外表面に平行に接触し、これにより係合体２４は挟持弾性アーム１２３内において安定的に係合され、定位と係合の金密度と安定性を向上させることができる。
【００２３】
前記ブレードサーバ１をコンピュータ本体３のケース３１内から取り出そうとする時には、先ず該ブレードサーバ１両側のハンドル２を弾動部２６により外側へと回転させる。これにより該ハンドル２は軸部２２中央位置を軸芯として回転し、嵌設部２７はケース１の嵌合孔３１１から退出する。これにより前記ハンドル２の押上げ部２３は探知装置１３と分離され、同時に係合体２４を連動し前記アース部１２の挟持弾性アーム１２３外へと離脱する。前記探知装置１３は、ブレードサーバ１と該コンピュータ本体３ケース３１の電気的接続を切断し、こうしてブレードサーバ１をケース３１外に引き出すことができる。このようにブレードサーバ１内のマザーボードに対するメンテナンス、拡充、パーツ交換などの作業の利便性が高い。
【００２４】
さらに、工具を用いる必要がなく、前記ブレードサーバ１とケース３１とを分離することができるため、ブレードサーバ１とケース３１の設置、分解が非常に迅速で、簡易である。
【００２５】
また、前記ハンドル２の押上げ部２３は、直径がやや小さい接触面２３１を有するため、該ハンドル２が回転する時、該押上げ部２３の回転ルートも小さくなり、前記ブレードサーバ１のマザーボード上での空間を拡大することができ、経済効果を達成することができる。
【００２６】
さらに、前記ハンドル２の回転を始める時、接触面２３１の反対端面はパネル１１の内側表面に接触(図６参照)するため、該ハンドル２の回転角度は９０度を超えることがない。よって、前記嵌設部２７片側が、探知装置１３に接触することはなく、パーツが損壊するなどの恐れもない。こうして操作の簡易性と高い安全性を提供することができる。
【００２７】
また、前記係合体２４が前記貫通孔１１１内側アース部１２の挟持弾性アーム１２３に嵌合する時、突起状の接触定位部２５を利用しパネル１１外側表面に接触し、ハンドル２とパネル１１結合後の安定嵌合状態を確保する。しかも、接触定位部２５がパネル１１の外側表面に接触する時、前記係合体２４の頭端２４２は挟持弾性アーム１２３内において緊密に嵌合し、揺れや角度の偏りを防止し、嵌合強度を確保し、安定的な固定と緊密な対応の効果を達成することができる。
【００２８】
前記ハンドル２は板体、片体、或いは棒体状で、前記ブレードサーバ１上のパネル１１両側位置に可動可能に設置し、しかも該ハンドル２は金属製であるため、該ハンドル２が該ケース３１と嵌合される時、該ハンドル２は探知装置１３に接触し、前記ブレードサーバ１とケース３１は電気的連接する。こうして、前記ブレードサーバ１はケース３１にアースされ、該ブレードサーバ１上の静電、雑信号、電磁波、干渉電磁波などは、該ケース３１の導きにより地面へと排出され、極めて優れた定位探知とアース機能を達成する。この部分は本考案においての重点ではないため、簡単な説明に留める。
【００２９】
以上は、本考案の最適実施例で、本考案の請求範囲を限定するものではない。
【００３０】
本考案構造では、ブレードサーバ１はパネル１１両側にそれぞれハンドル２を設置し、これにより該ブレードサーバ１はコンピュータ３のケース３１内において簡単に設置と取り外しが可能となる。前記ハンドル２の嵌設部２７により前記ケース３１内側の嵌合孔３１１に嵌設し、ブレードサーバ１は該ハンドル２により探知装置１３に接触、起動し、同時に該ハンドル２反対側の係合体２４はパネル１１の貫通孔１１１に挿入される。こうして前記係合体２４と貫通孔１１１内側のアース部１２は接続され、定位確認の作用を達成する。しかも、該ハンドル２は前記ケース３１とアース作用を形成し、マザーボード上の静電、雑信号などは該ケース３１が地面へと伝送、排出する。
【００３１】
このように、前記ブレードサーバ１は前記ケース３１内において迅速に設置、取り外しが可能で、これらの効果を達成可能な形式はすべて本考案の請求範囲に含まれるものとする。
【図面の簡単な説明】
【００３２】
【図１】本考案の一実施例を示す立体外観図である。
【図２】一実施例のハンドルを示す立体外観図である。
【図３】一実施例のハンドル回転前の俯瞰断面図である。
【図４】一実施例のハンドル回転時の俯瞰断面図である。
【図５】一実施例のハンドル回転後の俯瞰断面図である。
【図６】一実施例のハンドル反転後の俯瞰断面図である。
【図７】最適実施例の立体外観図である。
【図８】従来構造の説明図である。
【符号の説明】
【００３３】
１  ブレードサーバ
１１  パネル
１１１  貫通孔
１２  アース部
１２１  ベース
１２２  側面板
１２３  挟持弾性アーム
１３  探知装置
２  ハンドル
２１  サポートアーム
２２  軸部
２３  押上げ部
２３１  接触面
２４  係合体
２４１  頚部
２４２  頭端
２５  接触定位部
２６  弾動部
２７  嵌設部
３  コンピュータ本体
３１  ケース
３１１  嵌合孔
A  ハンドル
A１  係合ロック部
A１１  接触定位部
A２  ネジ
A３  突起部
B  ブレードサーバ
B１  パネル
B１１  穿孔
B２  探知スイッチ
B３  マザーボード
C  ケース
C１  側辺
【図１】
0003126104.tif 000003
【図２】
0003126104.tif 000004
【図３】
0003126104.tif 000005
【図４】
0003126104.tif 000006
【図５】
0003126104.tif 000007
【図６】
0003126104.tif 000008
【図７】
0003126104.tif 000009
【図８】
0003126104.tif 000010